(57)【特許請求の範囲】
【請求項１】
第１及び第２のラインを有し、これら各ラインの一端間に音声入力機器が接続された音声信号入力ラインと、
上記第１及び第２のラインの他端間に検査用の直流電源を供給する第１の直流電源供給手段と、
上記第１及び第２のラインの一端間に上記音声入力機器と並列を成して接続された第１の電圧降下手段と、
上記第１及び第２のラインが、上記一端間で互いに直流的に短絡するのを防止する第１の短絡防止手段と、
上記第１及び第２のラインの他端側において、この他端間の電圧、及びこれら各ラインを流れる電流、の一方または両方を検出する第１の検出手段と、
を具備し、
上記音声入力機器が、これ自体が使用状態にあるのか否かを表わす状態信号を生成する状態信号生成手段を備え、
第３及び第４のラインを有し、これら各ラインの一端間に上記状態信号生成手段が接続された状態信号入力ラインと、
上記第３及び第４のラインの他端間に検査用の直流電源を供給する第２の直流電源供給手段と、
上記第３及び第４のラインの一端間に上記状態信号生成手段と並列を成して接続された第２の電圧降下手段と、
上記第３及び第４のラインが、上記一端間で互いに直流的に短絡するのを防止する第２の短絡防止手段と、
上記第３及び第４のラインが、上記第１及び第２のラインと、上記一端側で互いに直流的に短絡するのを防止する第３の短絡防止手段と、
上記第３及び第４のラインの他端側において、この他端間の電圧、及びこれら各ラインを流れる電流、の一方または両方を検出する第２の検出手段と、
を更に備える放送機器における入力ラインの検査装置。
【請求項２】
上記音声入力機器が、ダイナミック型のマイクロホンである請求項１に記載の放送機器における入力ラインの検査装置。
【発明の詳細な説明】
【０００１】
【発明の属する技術分野】
本発明は、放送機器において、例えばマイクロホン等の音声入力機器が接続されている入力ラインに断線や短絡等の不具合が生じていないかを検査する検査装置に関し、特に小型化が重要視されるマイクロホン等に応用するのに適した入力ラインの検査装置に関する。
【０００２】
【従来の技術】
上記のような放送機器として、例えば図３（ａ）に示すようなものが知られている。これは、ビルの構内放送設備等に用いられるもので、同図に示すように、一般に知られているＰＴＴ（「Ｐｒｅｓｓ  Ｔｏ  Ｔａｌｋ  」または「Ｐｕｓｈ  Ｔｏ  Ｔａｌｋ」）スイッチ（以下、単にトークスイッチと言う。）１０を有するハンド・マイクロホン（以下、単にマイクロホンと言う。）１を備えている。このマイクロホン１は、これ専用のカールコード１１を介して、機器本体２の前面パネル２０に設けられたマイク端子２１に接続されており、このマイク端子２１は、図３（ｂ）に示すように、機器本体２内にある入力ボード（基板）３の入力端子３０に、入力ケーブル３１を介して接続されている。なお、図３（ｂ）は、機器本体２から前面パネル２０を取り外した状態を示す図であり、通常、この放送機器を使用する際には、上記前面パネル２０は機器本体２の前面に取り付けられる。
【０００３】
入力ボード３は、例えば、上記マイクロホン１からカールコード１１及び入力ケーブル３１を介して入力される音声信号を増幅する増幅回路３２や、上記マイクロホン１が使用されている状態にあるか否か、即ち上記トークスイッチ１０のＯＮ／ＯＦＦ状態を検出するスイッチ回路３３等を有している。また、機器本体２内には、この入力ボード３以外にも、例えば上記増幅回路３２によって増幅された音声信号を、ビル構内の適宜箇所に設けられている図示しない複数のスピーカのうちのいずれに出力するのかを制御する制御ボード等（図示せず）も設けられている。
【０００４】
なお、図３（ａ）において、前面パネル２０に設けられている複数の２２、２２、・・・は、上記制御ボード上に設けられているＣＰＵ（中央演算処理装置）に各種命令を与えるための操作キーである。また、これら各操作キー２２、２２、・・・の上方に設けられている長方形状のもの２３は、上記ＣＰＵの制御状態、例えばこの放送機器による放送状態等を表示するための例えば液晶パネル構成の表示部である。更に、この機器本体２は、図示しない大型のキャビネット・ラックに収納できるように構成されており、そのため、この機器本体２を上記キャビネット・ラックに固定するための固定孔２４、２４、・・・が、前面パネル２０の概略四隅に設けられている。
【０００５】
ところで、上記マイクロホン１と入力ボード３との接続関係を電気回路で表わすと、図４に示すようになる。同図に示すように、上述したカールコード１１及び入力ケーブル３１は、それぞれ４本の信号線を有している。そして、これら各信号線は、それぞれ前面パネル２に設けられたマイク端子２１を介して互いに１本ずつ接続されており、これによって、マイクロホン１から入力ボード３に至る４本の入力ラインａ乃至ｄが形成されている。
【０００６】
マイクロホン１は、内部に、収音した音声を電気信号に変換する例えばダイナミック型の変換器１２と、上述したトークスイッチ１０とを有している。このうち、変換器１２（詳しくは、変換器１２を構成する図示しないコイルの両端）に、上記各入力ラインａ乃至ｄのうちのａライン及びｂラインの一端が接続されている。そして、トークスイッチ１０に、残りのｃライン及びｄラインの一端が接続されている。なお、トークスイッチ１０は、これをＯＮしたときに、ｃライン及びｄラインの一端間を短絡し、ＯＦＦ状態にあるときは、上記ａラインの一端とｄラインの一端とを短絡する状態に設けられている。
【０００７】
一方、入力ボード３側においては、上記各入力ラインａ乃至ｄのうち、ａラインの他端が、直流カットコンデンサ３４を介して、増幅回路３２の入力側に接続されている。そして、このａラインの他端側であって、上記コンデンサ３４の入力側（同図の左側）には、インピーダンス整合用の入力抵抗３５が、接地（ＧＮＤ）電位との間に直列に設けられている。また、このａラインと対を成してマイクロホン１の変換器１２に接続されているｂラインの他端は、入力ボード３内で接地されている。そして、ｃラインの他端は、そのままスイッチ回路３３に接続されており、このｃラインと対を成してマイクロホン１のトークスイッチ１０に接続されているｄラインは、入力ボード３内で接地されている。
【０００８】
この図４の回路構成によれば、トークスイッチ１０がＯＦＦ状態にあるとき、増幅回路３２に接続されているａラインは、トークスイッチ１０及びｄラインを介して接地されるので、変換器１２から音声信号は出力されず、即ちマイクロホン１自体は使用不可状態にある。そして、トークスイッチ１０がＯＮされたときに、上記ａラインと接地電位との接続が解除され、これによって初めて、変換器１２から音声信号が出力される。なお、トークスイッチ１０がＯＮされたとき、スイッチ回路３３の入力側は、ｃライン、トークスイッチ１０及びｄラインを介して接地され、これによって、スイッチ回路３３は、マイクロホン１が使用状態にあることを検出する。そして、このようにマイクロホン１が使用されたことをスイッチ回路３３が検出すると、これを受けて、上述したＣＰＵが、増幅回路３２によって増幅された音声信号を各スピーカに供給し、これによってマイクロホン１（変換器１２）に入力された音声が各スピーカから放送される。
【０００９】
ここで、例えば、上記各入力ラインａ乃至ｂのうち、ａラインまたはｂラインが断線したとする。この場合、トークスイッチ１０のＯＮ／ＯＦＦ状態に係らず、変換器１２からは音声信号は出力されない。また、ａライン及びｂラインが、互いに短絡した場合にも、変換器１２から音声信号が出力されないことは、同図からも明らかである。一方、ｃラインまたはｂラインが断線した場合には、トークスイッチ１０をＯＮしても、スイッチ回路３３の入力側は接地されないので、スイッチ回路３３は、マイクロホン１が使用状態にあることを検出することができず、よって、マイクロホン１（変換器１２）に入力された音声はスピーカから放送されない。これとは逆に、ｃライン及びｄラインが互いに短絡した場合には、トークスイッチ１０のＯＮ／ＯＦＦ状態に係らず、スイッチ回路３３（ＣＰＵ）は、マイクロホン１が使用状態にあるものと認識し続ける。
【００１０】
このように各入力ラインａ乃至ｄに断線や短絡が生じると、放送できなくなる等の不都合が生じるため、これを未然に防ぐために、上記各入力ラインａ乃至ｄに断線や短絡が生じていないかどうかを常に検査する必要がある。特に、上記のようなマイクロホン（ハンド・マイクロホン）１は、非常用マイクとして使用されることが多く、この場合、上記のように放送できなくなるという不都合は致命的なトラブルとなるので、上記各入力ラインａ乃至ｄの検査は非常に重要となる。また、この放送機器においては、例えばこれを保守点検するために、上述したように、機器本体２から前面パネル２０を取り外すことがある。その際に、前面パネル２０に設けられているマイク端子２１と入力ケーブル３１との接続部分や、入力ケーブル３と入力ボード３上の入力端子３０との接続部分に対して、ねじり等の機械的な負荷が掛かるため、上記断線や短絡等が生じ易い。
【００１１】
そこで、上記各入力ラインａ乃至ｄに断線や短絡が生じていないかどうかを検査する方法として、従来、例えばマイクロホン１側に非可聴周波数の高周波信号を発振する図示しない高周波発振回路を設け、この高周波信号を各入力ラインａ乃至ｄを介して機器本体２（入力ボード３）側で検出することによって上記各入力ラインａ乃至ｄを検査するという方法がある。
【００１２】
【発明が解決しようとする課題】
しかし、上記従来の検査方法によれば、マイクロホン１側に高周波発振回路という比較的に複雑な回路を設けなければならないので、マイクロホン１内の回路構成が複雑になるという問題がある。従って、上記従来技術は、図３に示すハンド・マイクロホン１等のように、小型化を重要視するマイクロホンには適さない。
【００１３】
そこで、本発明は、マイクロホン１等の音声入力機器と機器本体２（入力ボード３）との間を接続する入力ラインに断線や短絡が生じていないかを、上記従来技術よりも比較的に簡単な構成で検査することのできる検査装置を提供することを目的とする。また、既存の放送機器に対して、簡単な改造を施すことによって、上記入力ラインの断線や短絡を検出することのできる検査装置を提供することも本発明の特徴とするところである。
【００１４】
【課題を解決するための手段】
上述した目的を達成するために、本発明のうちで請求項１に記載の発明は、第１及び第２のラインを有しこれら各ラインの一端間に音声入力機器が接続された音声信号入力ラインと、上記第１及び第２のラインの他端間に検査用の直流電源を供給する第１の直流電源供給手段と、上記第１及び第２のラインの一端間に上記音声入力機器と並列を成して接続された第１の電圧降下手段と、上記第１及び第２のラインが上記一端間で互いに直流的に短絡するのを防止する第１の短絡防止手段と、上記第１及び第２のラインの他端側において、この他端間の電圧及びこれら各ラインを流れる電流の一方または両方を検出する第１の検出手段と、を具備するものである。
【００１５】
なお、上記第１の電圧降下手段は、例えば抵抗器によって構成できる。また、上記第１の短絡防止手段は、例えば上記第１及び第２のラインの一方または両方の一端と上記音声入力機器との間に直列にコンデンサや抵抗器を設けることによって構成できる。
【００１６】
本請求項１に記載の発明によれば、上記第１及び第２のラインが共に正常なときは、第１の直流電源供給手段から供給される直流電源の電流が、第１及び第２のラインの一方、第１の電圧降下手段、第１及び第２のラインの他方、の順に流れる。従って、例えば第１及び第２のラインを介して音声入力機器からの音声信号が入力される回路の入力インピーダンス（抵抗値）が略無限大であって、かつ第１及び第２のラインのインピーダンス（抵抗値）が略零であり、更に第１の短絡防止手段を介しての第１及び第２のラインの一端間のインピーダンス（抵抗値）が略無限大であるとすると、第１の検出手段は、上記直流電源の電流が第１の電圧降下手段を流れることにより生じる電圧降下分の電圧値、または、この電圧降下分の電圧値を第１の電圧降下手段のインピーダンス（抵抗値）によって除算した分だけの電流値を検出する。
【００１７】
一方、第１及び第２のラインのいずれかに断線が生じたときは、上記直流電源の電流は、第１及び第２のラインを流れない。従って、この場合、第１の検出手段は、上記直流電源の電圧値そのものを検出するか、若しくは、略零（０）という電流値を検出する。
【００１８】
そして、第１及び第２のラインが互いに短絡した場合には、第１の電圧降下手段の両端が短絡したのと等価な状態となる。従って、第１の検出手段は、略零（０）という電圧値を検出するか、若しくは、上記第１及び第２のラインが正常なときに検出する電流値よりも大きい電流値を検出する。
【００１９】
即ち、第１及び第２のラインに断線や短絡が生じると、第１の検出手段は、これら各ラインが正常なときとは異なる電圧値または電流値を検出する。そして、このような作用を奏するために、第１及び第２のラインの一端間に接続された音声入力機器側に備えなければならないのは、第１の電圧降下手段を構成するための例えば抵抗器、及び第１の短絡防止手段を構成するための例えばコンデンサや抵抗器のみである。
【００２０】
更に、本請求項１に記載の発明においては、音声入力機器が、これ自体が使用状態にあるのか否かを表わす状態信号を生成する状態信号生成手段を備える。そして、第３及び第４のラインを有しこれら各ラインの一端間に上記状態信号生成手段が接続された状態信号入力ラインと、上記第３及び第４のラインの他端間に検査用の直流電源を供給する第２の直流電源供給手段と、上記第３及び第４のラインの一端間に上記状態信号生成手段と並列を成して接続された第２の電圧降下手段と、上記第３及び第４のラインが上記一端間で互いに直流的に短絡するのを防止する第２の短絡防止手段と、上記第３及び第４のラインが上記第１及び第２のラインと上記一端側で互いに直流的に短絡するのを防止する第３の短絡防止手段と、上記第３及び第４のラインの他端側において、この他端間の電圧及びこれら各ラインを流れる電流の一方または両方を検出する第２の検出手段と、を具備する。
【００２１】
なお、上記第２の電圧降下手段は、例えば抵抗器によって構成できる。また、上記第２の短絡防止手段は、例えば上記第３及び第４のラインの一方または両方の一端と上記状態信号生成手段との間に直列にコンデンサや抵抗器を設けることによって構成できる。そして、上記第３の短絡防止手段は、例えば上記第１及び第２のラインと第３及び第４のラインとを電気的に絶縁するか、若しくは、これらの一端間を電気的に接続する必要がある場合には、その接続をコンデンサや抵抗器を介して実現することによって構成できる。
【００２２】
かかる構成によれば、上記第３及び第４のラインが共に正常なときは、第２の直流電源供給手段から供給される直流電源の電流が、第３及び第４のラインの一方、第２の電圧降下手段、第３及び第４のラインの他方、の順に流れる。従って、例えば第３及び第４のラインを介して状態信号生成手段からの状態信号が入力される回路の入力インピーダンス（抵抗値）が略無限大であって、かつ第３及び第４のラインのインピーダンス（抵抗値）が略零であり、更に第２の短絡防止手段を介しての第３及び第４のラインの一端間のインピーダンス（抵抗値）が略無限大であるとすると、第２の検出手段は、上記直流電源の電流が第２の電圧降下手段を流れることにより生じる電圧降下分の電圧値、または、この電圧降下分の電圧値を第２の電圧降下手段のインピーダンス（抵抗値）によって除算した分だけの電流値を検出する。
【００２３】
一方、第３及び第４のラインのいずれかに断線が生じたときは、上記直流電源の電流は、第３及び第４のラインを流れない。従って、この場合、第２の検出手段は、上記直流電源の電圧値そのものを検出するか、若しくは、略零という電流値を検出する。
【００２４】
そして、第３及び第４のラインが互いに短絡した場合には、第２の電圧降下手段の両端が短絡したのと等価な状態となる。従って、第２の検出手段は、略零という電圧値を検出するか、若しくは、上記第３及び第４のラインが正常なときに検出する電流値よりも大きい電流値を検出する。
【００２５】
即ち、第３及び第４のラインに断線や短絡が生じると、第２の検出手段は、これら各ラインが正常なときとは異なる電圧値または電流値を検出する。
【００２６】
更に、第１及び第２のラインと第３及び第４のラインとが、互いに短絡した場合には、第１の直流電源供給手段から第１及び第２のラインに供給されている直流電源の電流が、第３及び第４のライン側に流れると共に、第２の直流電源供給手段から第３及び第４のラインに供給されている直流電源の電流が、第１及び第２のライン側に流れる。従って、この場合にも、第１及び第２の検出手段は、共に、上記第１乃至第４のラインが全て正常なときとは異なる電圧値または電流値を検出する。
【００２７】
そして、上記のような作用を奏するために、第３及び第４のラインの一端間に接続された状態信号生成手段を有する音声入力機器側に備えなければならないのは、第２の電圧降下手段を構成するための例えば抵抗器と、第２及び第３の短絡防止手段を構成するための例えばコンデンサや抵抗器のみである。
【００２８】
請求項２に記載の発明は、請求項１に記載の発明の放送機器における入力ラインの検査装置において、上記音声入力機器が、ダイナミック型のマイクロホンであることを特徴とするものである。
【００２９】
【発明の実施の形態】
本発明に係る入力ラインの検査装置を、例えば上述した図３に示す放送機器に応用する場合について、その一実施の形態を、図１及び図２を参照して説明する。
【００３０】
図１は、上記図３におけるマイクロホン１と入力ボード３との接続関係を電気的に表わした回路図である。同図に示すように、この回路は、上述した図４に示す回路構成に対して、５個の抵抗器Ｒ１  乃至Ｒ５  と、３個のコンデンサＣ１  乃至Ｃ３  を設けたものである。
【００３１】
即ち、入力ボード３側において、上述した増幅回路３２やスイッチ回路３３等がそれぞれの駆動電源としている直流電圧ＶＣＣと、ａラインの他端側であってコンデンサ３４の入力側（同図の左側）と、の間に、直列に抵抗器Ｒ１  を設けている。そして、ａラインと入力抵抗３５との間に、直列にコンデンサＣ１  を設けている。更に、上記直流電圧ＶＣＣと、ｃラインの他端側であってスイッチ回路３３の入力側と、の間に、直列に抵抗器Ｒ３  を設けている。
【００３２】
一方、マイクロホン１内においては、ａライン及びｂラインの各一端間に、直列に、即ち変換器１２と並列を成して、抵抗器Ｒ２  を設けている。そして、ａラインにおいて、上記抵抗器Ｒ２  が接続された位置と、トークスイッチ１０のＯＦＦ端子が接続された位置との間に、コンデンサＣ２  を直列に設けている。更に、ｂラインにおける上記抵抗器Ｒ２  が接続された位置と、変換器１２との間に、コンデンサＣ３  を設けている。また、ｃライン及びｄラインの各一端間に、直列に、即ちトークスイッチ１０と並列を成して、抵抗器Ｒ５  を設けている。そして、ｃラインにおける上記抵抗器Ｒ５  が接続された位置と、トークスイッチ１０のＯＮ端子との間に、直列第２の抵抗器Ｒ４  を設けている。
【００３３】
従って、上記構成によれば、各入力ラインａ乃至ｄが正常なとき（各ラインａ乃至ｄに断線や短絡等が生じていないとき）、ａライン及びｂラインに関しては、直流電圧ＶＣＣを電源とする直流電流が、抵抗器Ｒ１  、ａライン、抵抗器Ｒ２  、ｂライン、そして接地（ＧＮＤ）の順に流れる。従って、この直流電流の流通経路を電気回路で表わすと、図２（ａ）のようになり、即ち、直流電圧ＶＣＣと接地との間に、抵抗器Ｒ１  と抵抗器Ｒ２  とから成る直列回路を接続したのと等価な回路となる。よって、ａライン及びｂラインの他端間の電圧、即ち図１におけるＭ点の電位ＶＭ  は、次の数１によって表わされる。
【００３４】
【数１】
0003558836.tif 000002
【００３５】
一方、ｃライン及びｄラインに関しては、トークスイッチ１０がＯＦＦ状態にあるとき、直流電圧ＶＣＣを電源とする直流電流が、抵抗器Ｒ３  、ｃライン、抵抗器Ｒ５  、ｄライン、そして接地（ＧＮＤ）の順に流れる。従って、この直流電流の流通経路を電気回路で表わすと、図２（ｂ）のようになり、即ち、直流電圧ＶＣＣと接地との間に、抵抗器Ｒ３  と抵抗器Ｒ５  とから成る直列回路を接続したのと等価な回路となる。よって、ｃライン及びｄラインの他端間の電圧、即ち図１におけるＳ点の電位ＶＳＯＦＦは、次の数２によって表わされる。
【００３６】
【数２】
0003558836.tif 000003
【００３７】
また、トークスイッチ１０がＯＮ状態にあるときには、直流電圧ＶＣＣを電源とする直流電流は、抵抗器Ｒ３  、ｃライン、抵抗器Ｒ４  及びＲ５  から成る並列回路、ｄライン、そして接地（ＧＮＤ）の順に流れる。従って、この直流電流の流通経路を電気回路で表わすと、図２（ｃ）のようになり、即ち、直流電圧ＶＣＣと接地との間に、抵抗器Ｒ３  と、抵抗器Ｒ４  及びＲ５  から成る並列回路と、を直列に接続したのと等価な回路となる。よって、上記Ｓ点の電位ＶＳＯＮ  は、次の数３によって表わされる。
【００３８】
【数３】
0003558836.tif 000004
【００３９】
ここで、例えば、ａラインまたはｂラインが断線したとする。この場合、直流電源ＶＣＣを電源とする直流電流は、ａライン及びｂラインを流れないので、上記Ｍ点の電位ＶＭ  は、上記直流電圧ＶＣＣと略等価となることは言うまでもない。
【００４０】
また、ｃライン若しくはｄラインが断線した場合には、トークスイッチ１０のＯＮ／ＯＦＦ状態に係らず、直流電源ＶＣＣを電源とする直流電流はｃライン及びｄラインを流れない。従って、上記Ｓ点の電位ＶＳ  は、直流電圧ＶＣＣと略等価となる。
【００４１】
そして、例えばａラインとｂラインとが互いに短絡したとする。この場合、上記Ｍ点が接地されたのと等価な状態になるので、Ｍ点の電位ＶＭ  は、接地電位、即ち零（０［Ｖ］）となる。
【００４２】
また、ａラインとｃラインとが互いに短絡した場合には、上記Ｍ点とＳ点とが短絡したのと等価な状態になる。従って、トークスイッチ１０がＯＦＦ状態にある場合には、これを回路的に表わすと、図２（ｄ）のようになり、即ち、直流電圧ＶＣＣと接地との間に、抵抗器Ｒ１  及びＲ３  から成る並列回路と、抵抗器Ｒ２  及びＲ５  から成る並列回路とを、直列に接続したのと等価な回路になる。そして、上記Ｍ点の電位ＶＭ  とＳ点の電位ＶＳＯＦＦとは、等価となり、即ち次の数４によって表わされる。なお、このときの電位ＶＭ  及びＶＳＯＦＦを、ＶＡ  とする（即ち、ＶＭ  ＝ＶＳＯＦＦ＝ＶＡ  とする）。
【００４３】
【数４】
0003558836.tif 000005
【００４４】
一方、ａラインとｃラインとが互いに短絡した状態において、トークスイッチ１０がＯＮされると、回路的には、図２（ｅ）に示すように、直流電圧ＶＣＣと接地との間に、抵抗器Ｒ１  及びＲ３  から成る並列回路と、抵抗器Ｒ２  、Ｒ４  及びＲ５  から成る並列回路とを、直列に接続したのと等価な回路になる。従って、上記Ｍ点の電位ＶＭ  とＳ点の電位ＶＳＯＮ  とは、次の数４によって表わされる。なお、このときの電位ＶＭ  及びＶＳＯＦＦを、ＶＢ  とする（即ち、ＶＭ  ＝ＶＳＯＮ  ＝ＶＢ  とする）。
【００４５】
【数５】
0003558836.tif 000006
【００４６】
更に、ａラインとｄラインとが互いに短絡した場合には、ａラインとｂラインとが互いに短絡した場合と同様に、上記Ｍ点が接地されたのと等価な状態になる。従って、この場合、Ｍ点の電位ＶＭ  は、接地電位、即ち零（０［Ｖ］）となる。
【００４７】
そして、ｂラインとｃラインとが互いに短絡した場合は、上記Ｓ点が接地されたのと等価な状態になる。従って、この場合は、トークスイッチ１０のＯＮ／ＯＦＦ状態に係らず、Ｓ点の電位ＶＳ  は、接地電位、即ち零（０［Ｖ］）となる。
【００４８】
また、ｃラインとｄラインとが互いに短絡した場合には、上記ｂラインとｃラインとが互いに短絡した場合と同様に、上記Ｓ点が接地されたのと等価な状態になる。従って、この場合も、Ｓ点の電位ＶＳ  は、接地電位、即ち零（０［Ｖ］）となる。
【００４９】
なお、ｂラインとｄラインとが互いに短絡しても、これらはいずれも入力ボード３内において接地電位に接続されているので、上記Ｍ点の電位ＶＭ  及びＳ点の電位ＶＳ  には影響を与えない。勿論、この場合は、この放送機器自体の動作にも影響はない。
【００５０】
以上、各入力ラインａ乃至ｄに断線や短絡が生じたときの、上記Ｍ点の電位ＶＭ  及びＳ点の電位ＶＳ  の変化を一覧に表わすと、表１のようになる。
【００５１】
【表１】
0003558836.tif 000007
【００５２】
この表１から明らかなように、各入力ラインａ乃至ｄに断線または短絡が生じると、上記Ｍ点の電位ＶＭ  及びＳ点の電位ＶＳ  が、上記各ラインａ乃至ｄが正常なときとは異なる値となる。従って、このＭ点の電位ＶＭ  及びＳ点の電位ＶＳ  を、それぞれ図１に示すような電圧検出回路３６及び３７で検出して、各電位ＶＭ  及びＶＳＮの変化を捉えることによって、上記各入力ラインａ乃至ｄに断線や短絡が生じていないかを検査することができる。
【００５３】
なお、上記各電圧検出回路３６及び３７は、例えば、上記各ラインａ乃至ｄが全て正常なときの上記各電位ＶＭ  及びＶＳ  を基準電位とするコンパレータ回路によって構成することができる。また、上記各電位ＶＭ  及びＶＳ  を、例えば図示しないＡ／Ｄ（アナログ／ディジタル）変換器によってディジタル変換した後、このディジタル値を上述したＣＰＵで分析することによっても、上記各ラインａ乃至ｄの断線及び短絡を検査することもできる。そして、上記各ラインａ乃至ｄに断線や短絡が生じたとき、例えばその旨を表わすメッセージを、上述した表示部２３に表示すれば、上記断線や短絡の発生を直観的に認識できる。
【００５４】
上記のように、本実施の形態によれば、上記各電位ＶＭ  及びＶＳＮの変化を捉えることによって、上記各入力ラインａ乃至ｄに断線や短絡が生じていないかどうかを検査することができる。
【００５５】
そして、この検査を実現するには、マイクロホン１及び入力ボード３（機器本体２）に対して、新たな部品等を追加する必要があるが、本実施の形態によれば、マイクロホン１側に新たに追加するのは、３個の抵抗器Ｒ２  、Ｒ４  及びＲ５  と、２個のコンデンサＣ２  及びＣ３  の受動素子のみである。従って、例えば上述した図４に示すマイクロホン１に対して本実施の形態を適用するとしても、マイクロホン１自体が大型化することはなく、極めて安価でかつ簡単な改造工事（設計変更）により、上記各入力ラインａ乃至ｄの検査装置を実現できる。
【００５６】
例えば、上記マイクロホン１内の回路構成は、一般に、プリント配線板によって形成されることが多いが、この場合、上記３個の抵抗器Ｒ２  、Ｒ４  及びＲ５  と２個のコンデンサＣ２  及びＣ３  のみを追加するだけであれば、上記プリント配線板の大きさや形状は、殆ど変更する必要はないと言える。また、上記３個の抵抗器Ｒ２  、Ｒ４  及びＲ５  と２個のコンデンサＣ２  及びＣ３  のみであれば、これらを空中配線によって追加しても、それほど大きな作業負担は掛からない。よって、本実施の形態は、マイクロホン（ハンド・マイクロホン）１等のように、小型化を重要視する音声入力機器にとっては、非常に有効である。
【００５７】
また、入力ボード３（機器本体２）側においても、これに、２個の抵抗器Ｒ１  及びＲ３  と、１個のコンデンサＣ１  、及び２つの電圧検出回路３６及び３７（或いは、上述したＡ／Ｄ変換器、及びＣＰＵを制御するプログラムの変更）のみを追加するだけであるので、それほど大きな設計変更を必要としない。更に、各入力ラインａ乃至ｄを構成するカールコード１１及び入力ケーブル３１については、上記図４のものと同じものであって、全く変更する必要はない。
【００５８】
なお、本実施の形態における各入力ラインａ乃至ｄが、それぞれ特許請求の範囲に記載の第１乃至第４のラインに対応する。また、ａライン上のＭ点に対して、抵抗器Ｒ１  を介して直流電圧ＶＣＣを印加することが、特許請求の範囲に記載の第１の直流電源供給手段に対応する。そして、抵抗器Ｒ２  が、特許請求の範囲に記載の第１の電圧降下手段に対応し、コンデンサＣ２  及びＣ３  が、第１の短絡防止手段に対応する。なお、コンデンサＣ２  は、特許請求の範囲に記載の第３の短絡防止手段としても機能する。また、コンデンサＣ３  については、これを設けなくても、特に放送機器の動作に影響することはない。そして、Ｍ点の電位ＶＭ  を検出する電圧検出回路３６が、特許請求の範囲に記載の第１の検出手段に対応する。
【００５９】
また、トークスイッチ１０が、特許請求の範囲に記載の状態信号生成手段に対応する。そして、ｃライン上のＳ点に対して、抵抗器Ｒ３  を介して直流電圧ＶＣＣを印加することが、特許請求の範囲に記載の第２の直流電源供給手段に対応する。そして、抵抗器Ｒ５  が、特許請求の範囲に記載の第２の電圧降下手段に対応し、抵抗器Ｒ４  が、第２の短絡防止手段に対応する。そして、Ｓ点の電位ＶＳ  を検出する電圧検出回路３７が、特許請求の範囲に記載の第２の検出手段に対応する。
【００６０】
なお、本実施の形態においては、上述した図３に示すようなキャビネット・ラック収納型の放送機器について説明したが、これ以外の形態の放送機器についても、本実施の形態を適用できる。
【００６１】
また、上記図３に示すようなハンド・マイクロホン１に限らず、他の形態のマイクロホンについても、本実施の形態を適用できる。勿論、マイクロホンに限らず、例えばテープレコーダ等の他の音声入力機器についても、本実施の形態を適用できる。
【００６２】
更に、本実施の形態においては、上述したＭ点の電位ＶＭ  と、Ｓ点の電位ＶＳ  とを検出するよう構成したが、これら各電位（電圧値）ＶＭ  及びＶＳ  ではなく、例えば、各入力ラインａ乃至ｄを流れる電流を検出し、この検出して得た電流値から、各入力ラインａ乃至ｄの断線や短絡等を検出してもよい。
【００６３】
【発明の効果】
以上のように、請求項１に記載の発明の放送機器における入力ラインの検査装置によれば、音声入力機器が接続された第１及び第２のラインに断線や短絡が生じると、第１の検出手段による電圧または電流の検出値が、上記各ラインが正常なときとは異なる値となる。従って、この検出値から、上記第１及び第２のラインに断線や短絡が生じていないかどうかを検査できる。そして、この検査を実現するために、音声入力機器側に備えなければならないのは、第１の電圧降下手段を構成するための例えば抵抗器、及び第１の短絡防止手段を構成するための例えばコンデンサや抵抗器のみである。よって、高周波発振回路という比較的に複雑な回路を必要とする上述した従来技術に比べて、非常に簡単な回路構成により、上記各ライン（音声信号入力ライン）の検査を実現できるという効果がある。この効果は、上述した図３に示すマイクロホン（ハンド・マイクロホン）１のように、小型化を重要視する音声入力機器においては、非常に有効である。また、例えば入力ラインの検査装置を設けていない既存の放送機器に対して、本請求項１に記載の発明を適用する場合にも、音声入力機器に対しては、上記コンデンサや抵抗器を設けるだけなので、音声入力機器側に大規模な設計変更を施す必要はない。
【００６４】
更に、本請求項１に記載の発明によれば、音声入力機器が、これ自体が使用状態にあるのか否かを表わす状態信号を生成する状態信号生成手段を備えており、上記状態信号を伝送させるための状態信号入力ライン（第３及び第４のライン）を備えた放送機器においても、第２の検出手段による電圧または電流の検出値により、上記状態信号入力ラインに断線や短絡が生じていないかどうかを検査できる。また、第１及び第２の検出手段の検出値によって、上記状態信号入力ラインと音声信号入力ラインとが互いに短絡していないか否かも検査できる。そして、この検査を実現するために、音声入力機器側に備えなければならないのは、第２の電圧降下手段を構成するための例えば抵抗器、及び第２及び第３の短絡防止手段を構成するための例えばコンデンサや抵抗器のみである。従って、上記状態信号入力ラインを備えた放送機器においても、上述と同様の効果が得られる。
【００６５】
請求項２に記載の発明の放送機器における入力ラインの検査装置によれば、上記音声入力機器として、ダイナミック型のマイクロホンを備えた放送機器においても、上記請求項１に記載の発明と同様の効果が得られる。
【図面の簡単な説明】
【図１】本発明に係る検査装置の一実施の形態の電気的な概略構成を表わす回路図である。
【図２】同実施の形態における各入力ラインａ乃至ｄの等価回路である。
【図３】一般に知られている放送機器の外観図で、（ａ）は、正面図、（ｂ）は、機器本体から前面パネルを取り外した状態を示す側面図である。
【図４】上記図３の放送機器における音声入力部分の電気的な概略構成を表わす回路図である。
【符号の説明】
１  マイクロホン
２  機器本体
３  入力ボード
１０  ＰＴＴスイッチ
１１  カールコード
１２  変換器
３１  入力ケーブル
３６、３７  電圧検出回路
Ｒ１  、Ｒ２  、Ｒ３  、Ｒ４  、Ｒ５    抵抗器
Ｃ１  、Ｃ２  、Ｃ３    コンデンサ
ＶＣＣ  直流電圧
ａ、ｂ、ｃ、ｄ  入力ライン
【図１】
0003558836.tif 000008
【図２】
0003558836.tif 000009
【図３】
0003558836.tif 000010
【図４】
0003558836.tif 000011